(57)【要約】【課題】従来と比較し、施工性を大幅に向上させることを可能にする折れ戸の施工方法を提供する。【解決手段】戸枠と、框及び障子からなり、戸枠に支持される複数の戸体１とを備えるとともに、隣り合う戸体１の縦框１７ａ、１７ｂ同士を上下方向Ｔ１に延びる回動軸線周りに回動自在に連結してなる折れ戸Ｂの施工方法であって、隣り合う戸体１を連結する連結部が、受部２５と軸部２６からなる旗丁番を用いて、互いの縦框１７ａ、１７ｂ同士を直接連結、あるいは連結框２を介して互いの縦框１７ａ、１７ｂ同士を連結するように構成されており、旗丁番の受部２５に軸部２６を挿入して、戸枠の縦枠側から順に複数の戸体１、あるいは複数の戸体１及び連結框２を回動可能に連結してゆき、折れ戸Ｂを形成するようにした。【選択図】図３
2015196974.tif 000002
【特許請求の範囲】
【請求項１】
戸枠と、框及び障子からなり、前記戸枠に支持される複数の戸体とを備えるとともに、隣り合う前記戸体の縦框同士を上下方向に延びる回動軸線周りに回動自在に連結してなる折れ戸の施工方法であって、
前記隣り合う戸体を連結する連結部が、受部と軸部からなる旗丁番を用いて、互いの縦框同士を直接連結、あるいは連結框を介して互いの縦框同士を連結するように構成されており、
前記旗丁番の前記受部に前記軸部を挿入して、前記戸枠の縦枠側から順に前記複数の戸体、あるいは前記複数の戸体及び前記連結框を回動可能に連結してゆき、前記折れ戸を形成するようにしたことを特徴とする折れ戸の施工方法。
【発明の詳細な説明】
【技術分野】
【０００１】
本発明は、折れ戸の施工方法に関する。
【背景技術】
【０００２】
建物の開口部を大きく開いて開放感を得ることができ、建物の快適性、利便性を高めることができるため、例えば住宅のリビングなどに折れ戸を設置するケースが増えている。
【０００３】
従来、折れ戸は、アルミ型材を用いて形成され、建物の開口部の周縁に設置される上枠、下枠、一対の縦枠からなる戸枠と、アルミ型材を用いて形成された上框（上桟）、下框（下桟）、一対の縦框（縦桟）からなる方形枠状の框にガラスパネルなどの障子を保持させてなる複数の戸体とを備えて構成されている（例えば、特許文献１、特許文献２参照）。
【０００４】
また、戸枠の下枠には、下方に凹み、下枠の長手方向、すなわち折れ戸の幅方向に沿って一端部から他端部まで延びるガイドレール（ガイド溝）が形成され、上枠には、上枠の長手方向に沿って一端部から他端部まで延びる吊りレールが形成されている。
【０００５】
一方、複数の戸体１は、図６に示すように、隣り合う戸体１の縦框３、４同士が上下方向Ｔ１に延びる回動軸線Ｏ１周りに回動自在に連結されている。また、このとき、折れ戸Ａ（複数の戸体１）を折り畳んで開いた際に建物の開口部よりも外側に配される連結部Ｓ１には、アルミ型材の連結框２が設けられ、連結框２にそれぞれ回動自在に連結することにより、この部分の隣り合う戸体１の一方の縦框３同士が回動自在に連結されている。
【０００６】
さらに、戸先側などの戸体１の他方の縦框４には、アルミ型材のマリオン５が連結框２と同様に回動自在に連結されている。また、折れ戸Ａを折り畳んだ際に建物の開口部上に配されるマリオン５には、下端部から下方に突設されるとともに下枠６のガイドレールに係合し、ガイドレールに案内されて移動するガイドローラーや、上端部から上方に突設されるとともに上枠の吊りレールに係合し、戸体１を吊り下げ支持しつつ吊りレールに案内されて移動する吊車が設けられている。また、吊車は、上下方向Ｔ１に延びる回転軸周りに回転自在に戸体１に取り付けられている。
【０００７】
これにより、折れ戸Ａを折り畳んだ際に建物の開口部上に配される戸体１の縦框４及びマリオン５がそれぞれ、吊りレール及びガイドレールに案内されて戸枠７の上枠や下枠６の長手方向Ｔ２に沿ってスライド移動し、折れ戸Ａを開閉することができる。
【０００８】
また、折れ戸Ａの戸尻側の戸体１の縦框４（あるいはマリオン５）には、その上端部から上方に突設されるとともに上枠の吊りレールに、上下方向Ｔ１の回動軸線周りに回動自在に係合してピボット（旋回軸）が設けられている。
【先行技術文献】
【特許文献】
【０００９】
【特許文献１】特開平１１−３０３４９４号公報
【特許文献２】特開２００６−１８８９０９号公報
【発明の概要】
【発明が解決しようとする課題】
【００１０】
一方、上記従来の折れ戸Ａにおいては、図６及び図７に示すように、隣り合う戸体１の縦框３同士を連結框２を介して連結する連結部Ｓ１が、縦框３、連結框２をそれぞれアルミ型材として形成し、これら縦框３、連結框２にそれぞれ、上端部側から下端部側まで連続して延びる係合突部２７と係合受部２８を一体に設けて形成されている。そして、縦框３や連結框２の互いに連結する一方の部材の係合受部２８に他方の部材の係合突部２７を挿入して係合させることによりヒンジ構造が形成され、隣り合う戸体１を回動自在に連結することができる。
【００１１】
しかしながら、上記のように、上端部側から下端部側まで連続する係合突部２７や係合受部２８を備えて縦框３や連結框２が形成されるため、縦框３、４、上框、下框を組み付けて框を形成するとともにガラスパネル（障子）を取り付けて予め戸体１を形成しておき、この完成品の戸体１を現場に搬入し、戸体１同士を連結して折れ戸Ａを形成することができない。
【００１２】
すなわち、縦框３、４や連結框２に上端部側から下端部側に連続して延びる係合突部２７や係合受部２８が形成されているため、そして、住宅などに設置される戸体１は、框にガラスパネルを取り付けた完成品の状態であるとその重量が大きいため、戸体１と連結框２を取り回し、互いの係合突部２７と係合受部２８係合させながら、複数の戸体１を順次連結することができない。
【００１３】
このため、この種の折れ戸Ａを施工する際には、現場で縦框３と連結框２を連結し、戸枠７のガイドレールや吊りレールにガイドローラー、吊車を係合させて所定位置に設置し、この状態から縦框４、上框、下框、ガラスパネルをそれぞれ設置して複数の戸体１を形成することになる。これにより、現場での複数の戸体１の設置作業に多大な手間と労力を要するという問題があった。
【００１４】
本発明は、上記事情に鑑み、従来と比較し、施工性を大幅に向上させることを可能にする折れ戸の施工方法を提供することを目的とする。
【課題を解決するための手段】
【００１５】
上記の目的を達するために、この発明は以下の手段を提供している。
【００１６】
本発明の折れ戸の施工方法は、戸枠と、框及び障子からなり、前記戸枠に支持される複数の戸体とを備えるとともに、隣り合う前記戸体の縦框同士を上下方向に延びる回動軸線周りに回動自在に連結してなる折れ戸の施工方法であって、前記隣り合う戸体を連結する連結部が、受部と軸部からなる旗丁番を用いて、互いの縦框同士を直接連結、あるいは連結框を介して互いの縦框同士を連結するように構成されており、前記旗丁番の前記受部に前記軸部を挿入して、前記戸枠の縦枠側から順に前記複数の戸体、あるいは前記複数の戸体及び前記連結框を回動可能に連結してゆき、前記折れ戸を形成するようにしたことを特徴とする。
【発明の効果】
【００１７】
本発明の折れ戸の施工方法においては、互いの縦框、連結框に設けられた旗丁番の受部と軸部を係合させることにより、隣り合う戸体同士を回動自在に連結することができる。
【００１８】
そして、このように旗丁番を用いるようにしたことで、框及び障子を組み付けて戸体を予め形成しておき、この完成品の戸体を現場に搬入し、旗丁番の受部に軸部を挿入して戸枠の縦枠側から順に複数の戸体、あるいは複数の戸体及び連結框を回動自在に連結してゆくことで、折れ戸を形成することが可能になる。
【００１９】
すなわち、従来のように、縦框、連結框にそれぞれ、上端部側から下端部側まで連続して延びる係合突部と受部を係合させるように連結部が構成されているのではなく、旗丁番を用いることで局部的に受部と軸部が設けられているため、重量が大きな完成品の戸体であっても、局部的に設けられた受部と軸部を係合させるように取り回すだけで隣り合う戸体同士を連結することができる。
【００２０】
これにより、現場で戸体を組み立てる作業を不要にすることができ、従来と比較し効率的に折れ戸を形成、設置することが可能になる。よって、折れ戸を設置する際の施工性を大幅に向上させることが可能になる。
【図面の簡単な説明】
【００２１】
【図１】本発明の一実施形態に係る折れ戸を示す斜視図であり、折れ戸を閉じた状態を示す図である。
【図２】本発明の一実施形態に係る折れ戸を示す斜視図であり、折れ戸を開いた状態（折り畳んだ状態）を示す図である。
【図３】本発明の一実施形態に係る折れ戸の隣り合う戸体の連結部を拡大した横断面図であり、折れ戸を閉じた状態を示す図である。
【図４】本発明の一実施形態に係る折れ戸の施工方法を示す図である。
【図５】本発明の一実施形態に係る折れ戸の施工方法を示す図であり、４枚の戸体を連結する場合の施工手順を示す図である。
【図６】従来の折れ戸の隣り合う戸体の連結部を示す横断面図であり、折れ戸を開いた状態（折り畳んだ状態）を示す図である。
【図７】従来の折れ戸の隣り合う戸体の連結部を拡大した横断面図であり、折れ戸を閉じた状態を示す図である。
【発明を実施するための形態】
【００２２】
以下、図１から図４を参照し、本発明の一実施形態に係る折れ戸の施工方法について説明する。
【００２３】
はじめに、本実施形態の折れ戸Ｂは、例えば図１及び図２に示すように、建物の開口部の内周に設置される戸枠７と、戸枠７に開閉可能に支持される複数の戸体１と、連結框２とを備えて構成されている。
【００２４】
戸枠７は、アルミ型材を用いて形成された上枠８、下枠６、一対の縦枠１０、１１を組み付けて方形枠状の形成されている。
【００２５】
また、上枠８は、一端部から他端部まで長手方向（折れ戸の幅方向）Ｔ２に延びる吊りレール１２を備えて形成されている。下枠６は、一端部から他端部まで長手方向Ｔ２に延びるガイドレール（ガイド溝）１３を備えて形成されている。
【００２６】
複数の戸体１はそれぞれ、アルミ型材を用いて形成された上框（上桟）１５、下框（下桟）１６、一対の縦框（縦桟）１７ａ、１７ｂ、１８、１９からなる方形枠状の框２０にガラスパネル（障子）２１を保持させて構成されている。また、これら戸体１は、隣り合う戸体１同士が上下方向Ｔ１に延びる回動軸線周りに回動自在に連結されている。
【００２７】
さらに、一部の戸体１には、図１、図２、図３に示すように、縦框１８の上端部から上方に吊車２２が突設されており、この吊車２２を上枠８の吊りレール１２に係合させることで、戸体１が吊り下げ支持されて戸枠７内に配設されている。また、吊車２２は上下方向Ｔ１に延びる回動軸線周りに回動自在に縦框１８に取り付けられており、この吊車２２が吊りレール１２で案内されて走行することにより、戸体１を円滑にスライド移動させることができる。
【００２８】
さらに、一部の戸体１には、縦框１８の下端部から下方に突設してガイドローラー２３が設けられており、このガイドローラー２３を下枠６のガイドレール１３に挿入して係合させることで下端部側が支持されて、戸体１が戸枠７内に配設されている。また、ガイドローラー２３が下枠６のガイドレール１３に案内されて移動することにより、戸体１を円滑にスライド移動させることができる。
【００２９】
また、縦枠１０、１１に隣接して配設される戸体１の縦框１９には、上端部から上方に突出するピボット（旋回軸）２４が設けられ、このピボット２４が上枠８に軸支されている。さらに、一部の戸体１、例えば戸先を形成する戸体１の縦框１８などに、下端部から下方に突出可能（上下方向に出没可能）にストッパー部材が設けられている。そして、操作レバーを操作し、ストッパー部材を下方に突出させつつ下枠６に係止させることで、戸体１（折れ戸Ｂ）を閉じた状態で固定することができる。
【００３０】
一方、本実施形態の折れ戸Ｂにおいては、隣り合う戸体１を連結する連結部Ｓ１が互いの縦框１７ａ、１７ｂ同士を連結框２を介して連結するように構成されている。
具体的に、本実施形態の折れ戸Ｂでは、折れ戸Ｂを開くとともに戸枠７（建物の開口部）から室内側あるいは室外側の外側に配される連結部Ｓ１が、アルミ型材を用いて形成された連結框２を介して戸体１の縦框１７ａ、１７ｂ同士を連結するように構成されている。
【００３１】
なお、連結框２を設けず、隣り合う戸体１の縦框１７ａ、１７ｂ同士をヒンジ構造によって直接的に連結するように構成してもよい。さらに、隣り合う戸体１を連結する連結部Ｓ１として、連結框２を設けた連結部と、連結框２を設けずに隣り合う戸体１の縦框１７ａ、１７ｂ同士をヒンジ構造によって直接的に連結する連結部とを備えて構成してもよい。この場合、例えば、折れ戸Ｂを開くとともに戸枠７（建物の開口部）から室内側あるいは室外側の外側に配される連結部を、アルミ型材を用いて形成された連結框２を介して戸体１の縦框１７ａ、１７ｂ同士を連結するようにし、折れ戸Ｂの開閉時に常に戸枠７上に配される連結部を、戸体１の縦框１７ａ、１７ｂ同士を直接連結するように構成することが好ましい。
【００３２】
また、本実施形態の折れ戸Ｂでは、図３及び図４に示すように、隣り合う戸体１同士を連結する連結構造として、戸体１の縦框１７ａ、１７ｂや連結框２の上下方向Ｔ１に所定の間隔あけて配設された受部２５と軸部２６を備えて構成されている。
【００３３】
すなわち、隣り合う戸体１同士を連結する連結構造は、従来のように戸体１の縦框１７ａ、１７ｂや連結框２の上端部側から下端部側まで上下方向Ｔ１に連続的に係合受部２８と係合突部２７を設けるのではなく（上下に連続的にヒンジ構造を設けるのではなく）、戸体１の縦框１７ａ、１７ｂや連結框２を複数の旗丁番（受部２５、軸部２６）で連結して構成されている。
【００３４】
そして、上記構成からなる本実施形態の折れ戸Ｂを施工する際には（本実施形態の折れ戸Ｂの施工方法では）、図３に示すように、旗丁番の受部２５に軸部２６を挿入して、戸枠７の縦枠１０、１１側から順に複数の戸体１及び連結框２を回動自在に連結してゆき、折れ戸Ｂを形成する。
【００３５】
具体的に、本実施形態の折れ戸Ｂの施工方法では、ピボット２４を上枠８に軸支させ、戸枠７の縦枠１０、１１に隣接させて第１の戸体１（１ａ）を回動可能に設置する。次に、第１の戸体１（１ａ）の縦框１７ａに旗丁番の軸部２６を取り付け、この軸部２６に、受部２５を係合させるとともに連結框２にこの受部２５を取り付け、連結框２を第１の戸体１（１ａ）に連結する。次に、連結框２に軸部２６を取り付け、この軸部２６に、受部２５を係合させるとともに第２の戸体１（１ｂ）にこの受部２５を取り付け、連結框２に第２の戸体１（１ｂ）を連結する。そして、この第２の戸体１（１ｂ）（及び第１の戸体（１（１ａ））に吊車２２やガイドローラー２３を取り付け、それぞれ上枠８の吊りレール１２やガイドレール１３に係合させる。これにより、本実施形態の折れ戸Ｂが形成される。
【００３６】
なお、図５に示すように、第３の戸体１（１ｃ）、第４の戸体１（１ｄ）など、さらに多くの戸体１を連結して折れ戸Ｂを構成する場合であっても、上記同様の操作を繰り返し行って折れ戸Ｂを形成すればよい。
また、本実施形態では、各戸体１や連結框２を連結させる際に旗丁番（受部２５、軸部２６）を取り付けるものとしたが、勿論予め戸体１に（受部２５、軸部２６）を取り付けておき、旗丁番の受部２５に軸部２６を挿入して、戸枠７の縦枠１０、１１側から順に複数の戸体１及び連結框２を回動自在に連結して、折れ戸Ｂを形成するようにしてもよい。
【００３７】
したがって、本実施形態の折れ戸Ｂの施工方法においては、隣り合う戸体１同士を、互いの縦框１７ａ、１７ｂ、連結框２に設けられた旗丁番の受部２５と軸部２６を係合させることにより、隣り合う戸体１同士を回動自在に連結することができる。
【００３８】
そして、このように受部２５と軸部２６を係合させるようにしたことで、框２０及び障子２１を組み付けて戸体１を予め形成しておき、この完成品の戸体１を現場に搬入し、受部２５に軸部２６を挿入して、戸枠７の縦枠１０、１１側から順に複数の戸体１及び連結框２を回動自在に連結し、折れ戸Ｂを形成することが可能になる。
【００３９】
すなわち、従来のように、縦框３、連結框２にそれぞれ、上端部側から下端部側まで長さ方向Ｔ１に連続して延びる係合突部２７と係合受部２８を設けて連結部Ｓ１が構成されているのではなく、部分的（局部的）に受部２５と軸部２６が設けられているため、重量が大きな完成品の戸体１であっても、受部２５と軸部２６を係合させるように取り回すだけで隣り合う戸体１同士を連結することができる。
【００４０】
これにより、現場で戸体１を組み立てる作業を不要にすることが可能になり、従来と比較して効率的に折れ戸Ｂを形成、設置することが可能になる。よって、折れ戸Ｂを設置する際の施工性を大幅に向上させることが可能になる。
【００４１】
以上、本発明に係る折れ戸の施工方法の一実施形態について説明したが、本発明は上記の一実施形態に限定されるものではなく、その趣旨を逸脱しない範囲で適宜変更可能である。
【００４２】
例えば、予め戸体１や連結框２に旗丁番（受部２５と軸部２６）を取り付けておき、受部２５に軸部２６を挿入しながら、戸枠７の縦枠１０、１１側から順に複数の戸体１及び連結框２（あるいは複数の戸体１同士）を回動自在に連結してゆくようにしてもよい。
また、このとき、軸部２６（軸部２６の軸）を上下方向Ｔ１に出没可能に構成し、軸を引っ込めた状態で、連結する戸体１や連結框２を所定位置に配置し、これとともに軸部２６の軸を突出させて受部２５に係合させるようにしてもよい。このように構成すると、予め戸体１や連結框２に旗丁番（受部２５と軸部２６）を取り付けた場合であっても、連結する戸体１や連結框２の上下移動を少なくことができ、効率的に作業を行うことができる。
【００４３】
また、本実施形態では、連結框２を備えて折れ戸Ｂが構成されているものとしたが、隣り合う戸体１の縦框１７ａ、１７ｂ同士を直接連結するように構成してもよく、この場合においても、本実施形態と同様の作用効果を得ることが可能である。
【符号の説明】
【００４４】
１      戸体
１ａ    第１の戸体
１ｂ    第２の戸体
１ｃ    第３の戸体
１ｄ    第４の戸体
２      連結框
３      縦框
４      縦框
５      マリオン
６      下枠
７      戸枠
８      上枠
１０    縦枠
１１    縦枠
１２    吊りレール
１３    ガイドレール
１５    上框
１６    下框
１７ａ  縦框
１７ｂ  縦框
１８    縦框
１９    縦框
２０    框
２１    ガラスパネル（障子）
２２    吊車
２３    ガイドローラー
２４    ピボット
２５    受部
２６    軸部
２７    係合突部
２８    係合受部
Ａ      従来の折れ戸
Ｂ      折れ戸
Ｏ１    回動軸線
Ｓ１    隣り合う戸体の連結部
Ｔ１    上下方向
Ｔ２    長手方向（折れ戸の幅方向）
【図１】
2015196974.tif 000003
【図２】
2015196974.tif 000004
【図３】
2015196974.tif 000005
【図４】
2015196974.tif 000006
【図５】
2015196974.tif 000007
【図６】
2015196974.tif 000008
【図７】
2015196974.tif 000009